(57)【要約】【課題】  電動機運転装置によって複数の電動機を順次起動し、安定的に定格運転する。【解決手段】  電動機運転装置１は、所内母線１０の所内電力３１を起動電力に変換し、この起動電力を複数の電動機１１に順次供給し定格運転まで加速する起動電力供給装置２と、所所内電力３１を定格電力に変換し、複数の電動機１１のうち定格運転まで加速されたものに対して、起動電力供給装置２から切替えて定格電力を供給する定格電力供給装置３とを備え、起動電力供給装置２は、定格電力供給装置３の異常時において、定格電力を定格電力供給装置２から切替えて複数の電動機１１のうち定格運転中のものに供給する。【選択図】  図１
2013027060.tif 000002
【特許請求の範囲】
【請求項１】
所内母線の所内電力を漸次周波数および電圧が増加する起動電力に変換し、この起動電
力を複数の電動機に順次供給し定格運転まで加速する起動電力供給装置と、
前記所内電力を定格電力に変換し、複数の前記電動機のうち前記定格運転まで加速された
ものに対して、前記起動電力供給装置から切替えて定格電力を供給する定格電力供給装置
とを備え、
前記起動電力供給装置は、前記定格電力供給装置の異常時において、前記定格電力を前記
定格電力供給装置から切替えて複数の前記電動機のうち定格運転中のものに供給すること
を特徴とする電動機運転装置。
【請求項２】
所内母線の所内電力を漸次周波数および電圧が増加する起動電力に変換し、この起動電
力を複数の電動機に順次供給し定格運転まで加速する起動電力供給装置と、
複数の前記電動機の各々に接続され、前記所内電力を定格電力に変換し、接続されている
前記電動機が前記定格運転まで加速されたとき、前記起動電力供給装置から切替えて定格
電力を供給する定格電力供給装置とを備え、
前記起動電力供給装置は、前記定格電力供給装置の異常時において、複数の前記電動機の
うち接続されている前記定格電力供給装置に異常あるものに対して、前記定格電力を前記
定格電力供給装置から切替えて供給することを特徴とする電動機運転装置。
【請求項３】
所内母線の所内電力を漸次周波数および電圧が増加する起動電力に変換し、この起動電
力をグループ化された複数の電動機にグループ毎に順次供給し定格運転まで加速する起動
電力供給装置と、
前記所内電力を定格電力に変換し、前記グループのうち前記電動機が前記定格運転まで加
速された前記グループに対して、前記起動電力供給装置から切替えて定格電力を供給する
定格電力供給装置とを備え、
前記起動電力供給装置は、前記定格電力供給装置の異常時において、前記定格電力を前記
定格電力供給装置から切替えて前記グループのうち前記電動機が定格運転中の前記グルー
プに供給することを特徴とする電動機運転装置。
【請求項４】
所内母線の所内電力を漸次周波数および電圧が増加する起動電力に変換し、この起動電
力をグループ化された複数の電動機にグループ毎に順次供給し定格運転まで加速する起動
電力供給装置と、
前記グループの各々に接続され、前記所内電力を定格電力に変換し、接続されている前記
グループの前記電動機が前記定格運転まで加速されたとき、前記起動電力供給装置から切
替えて定格電力を供給する定格電力供給装置とを備え、
前記起動電力供給装置は、前記定格電力供給装置の異常時において、前記グループのうち
異常ある前記定格電力供給装置が接続されている前記グループに前記定格電力を前記定格
電力供給装置から切替えて供給することを特徴とする電動機運転装置。
【請求項５】
複数の前記電動機の各々の上流において切換回路をさらに設け、
この切換回路によって前記起動電力供給装置および前記定格電力供給装置からの電力供給
の切り換えを行うことを特徴とする請求項１乃至請求項４の何れか一項に記載の電動機運
転装置。
【請求項６】
前記切換回路の各々の下流において、前記起動電力供給装置および前記定格電力供給装
置からの電力を閉鎖によって供給し、開放によって遮断する負荷投入回路をさらに設けた
ことを特徴とする請求項１乃至請求項５の何れか一項に記載の電動機運転装置。
【請求項７】
複数の前記電動機の各々に直列に接続され、前記起動電力および前記定格電力を整流す
るフィルタ回路をさらに備えることを特徴とする請求項１乃至請求項６の何れか一項に記
載の電動機運転装置。
【請求項８】
所内母線の所内電力を漸次周波数および電圧が増加する起動電力に変換し、この起動電
力を複数の電動機に順次供給し定格運転まで加速する電動機起動運転工程と、
前記所内電力を定格電力に変換し、複数の前記電動機のうち前記定格運転まで加速された
ものに定格電力を供給する電動機定格運転工程と、
前記電動機定格運転工程における定格電力の供給の異常時において、前記定格電力を前記
電動機起動運転工程における起動電力供給手段を用いて前記電動機に供給する工程とを備
えることを特徴とする電動機運転方法。 
【発明の詳細な説明】
【技術分野】
【０００１】
本発明は、複数の電動機を起動させ定格運転する電動機運転装置およびその運転方法に
関する。
【背景技術】
【０００２】
複数の電動機を揃速で定格運転する場合、従来は、複数の電動機への電力供給装置とし
て１台のインバータを設け、このインバータによって複数の電動機全台に対して漸次周波
数および電圧が増加する起動電力を供給して定格運転まで加速した後、定格電力を供給し
て定格運転を行っていた。
【０００３】
しかし、電動機の起動には定格運転時の定格電流より大きい起動電流が必要であり、複
数の電動機を同時に起動するためにはインバータの容量を大きくする必要があった。さら
に長時間にわたって定格運転を行う場合、周波数を可変に供給可能なインバータを電力供
給装置として用いることは信頼性が低下するおそれがあった。
【０００４】
そこで、電力供給装置を起動電力供給装置と定格電力供給装置とに分けて設け、起動電
力供給装置によって漸次周波数および電圧が増加する起動電力を複数の電動機に順次供給
し定格運転まで加速し、定格電力供給装置によって複数の電動機のうち定格運転まで加速
されたものに対して、起動電力供給装置から切替えて定格電力を供給する技術が開発され
ている（例えば、特許文献１、２参照。）。
【先行技術文献】
【特許文献】
【０００５】
【特許文献１】特開２０１０−１６６６４１号公報
【特許文献２】特公平３−４１０３１号公報
【発明の概要】
【発明が解決しようとする課題】
【０００６】
しかしながら、上述した特許文献１および特許文献２に記載の技術は、定格電力供給装
置の異常時において電動機に定格電力を供給するバックアップが設けられていないため、
特に長時間にわたって安定的に定格運転を行う必要がある電動機においては信頼性が低下
するおそれがあった。
【０００７】
そこで本発明は、複数の電動機を順次起動し、安定的に定格運転することができる電動
機運転装置およびその運転方法の提供を目的とする。
【課題を解決するための手段】
【０００８】
上記目的を達成するために、本発明の電動機運転装置は、所内母線の所内電力を漸次周
波数および電圧が増加する起動電力に変換し、この起動電力を複数の電動機に順次供給し
定格運転まで加速する起動電力供給装置と、所内電力を定格電力に変換し、複数の電動機
のうち定格運転まで加速されたものに対して、起動電力供給装置から切替えて定格電力を
並列に供給する定格電力供給装置とを備え、起動電力供給装置は、定格電力供給装置の異
常時において、定格電力を定格電力供給装置から切替えて複数の電動機のうち定格運転中
のものに対し並列に供給することを特徴とする。
【０００９】
さらに上記目的を達成するために、本発明の電動機の運転方法は、所内母線の所内電力
を漸次周波数および電圧が増加する起動電力に変換し、この起動電力を複数の電動機に順
次供給し定格運転まで加速する電動機起動運転工程と、所内電力を定格電力に変換し、複
数の電動機のうち定格運転まで加速されたものに定格電力を供給する電動機定格運転工程
と、電動機定格運転工程における定格電力の供給の異常時において、定格電力を電動機起
動運転工程における起動電力供給手段を用いて電動機に供給する工程とを備えることを特
徴とする。
【発明の効果】
【００１０】
本発明によれば、電動機運転装置によって複数の電動機を順次起動し、安定的に定格運
転することができる。
【図面の簡単な説明】
【００１１】
【図１】本発明の第１の実施形態に係る電動機運転装置の概略構成図。
【図２】本発明の第１の実施形態に係る電動機運転装置の電動機の起動運転から定格運転までの周波数の変化を示すグラフ。
【図３】本発明の第１の実施形態に係る電動機運転装置の定格電力供給装置の異常時の作用を示す概略構成図。
【図４】本発明の第２の実施形態に係る電動機運転装置の概略構成図。
【図５】本発明の第２の実施形態に係る電動機運転装置の定格電力供給装置の異常時の作用を示す概略構成図。
【図６】本発明の第２の実施形態に係る電動機運転装置の１つの定格電力供給装置に対して複数の電動機を接続した例を示す概略構成図。
【発明を実施するための形態】
【００１２】
以下、本発明の実施形態を説明する。
【００１３】
（第１の実施形態）
（構成）
以下、本発明の第１の実施形態に係る電動機運転装置について図１乃至図３を参照して
説明する。図１は、本発明の第１の実施形態に係る電動機運転装置の概略構成図である。
電動機運転装置１は、起動電力供給装置２と、定格電力供給装置３と、切替回路４と、フ
ィルタ回路５と、負荷投入回路６と、演算部７とから構成される。また、定格電力供給装
置３は内部に後述する異常判定機能を有する。電動機運転装置１には、後述する接続関係
で複数の電動機１１が接続され、切替回路４と、フィルタ回路５と、負荷投入回路６は、
それぞれ複数の電動機１１と同数設けられる。
【００１４】
所内母線１０は、外部電源から所内電力３１を受電し、所内母線１０に接続される機器
に所内電力３１を供給する母線である。複数の電動機１１は、起動電力供給装置２または
定格電力供給装置３から電力供給を受けて回転動作するモータである。また、フィルタ回
路５は、起動電力供給装置２および定格電力供給装置３から供給される交流電力の波形を
整形し、ノイズを除去することによって電動機１１の力率改善に作用するものである。さ
らに負荷投入回路６は、閉鎖によって電動機１１に電力を供給し、開放によって電動機１
１への電力供給を遮断することができる回路である。
【００１５】
以下、電動機運転装置１および複数の電動機１１ならびに所内母線１０の接続関係につ
いて説明する。起動電力供給装置２および定格電力供給装置３は、各々所内母線１０から
所内電力３１を受電することができるように、起動電力供給装置２および定格電力供給装
置３と所内母線１０とが接続される。
【００１６】
複数の切替回路４の各々が起動電力供給装置２および定格電力供給装置３から切換可能
に受電できるように、複数の切換回路４に起動電力供給装置２および定格電力供給装置３
が接続される。さらに、複数の切換回路４にフィルタ回路５と、負荷投入回路６とが順に
直列に接続され、複数の負荷投入回路６の下流に電動機１１が各々接続される。
【００１７】
演算部７は、起動電力供給装置運転指令２１を起動電力供給装置２に送信することがで
きるように、演算部７と起動電力供給装置２とが接続される。さらに演算部７は、定格電
力供給装置運転指令２２を定格電力供給装置３に送信することができるように、演算部７
と定格電力供給装置３とが接続される。また演算部７は、定格電力供給装置異常信号２５
を定格電力供給装置３から受信することができるように、演算部７と定格電力供給装置３
とが接続される。
【００１８】
またさらに演算部７は、切換指令２３を複数の切換回路４の各々に送信することができ
るように、演算部７と複数の切換回路４とが接続される。さらに演算部７は、開閉指令２
４を複数の負荷投入回路６の各々に送信することができるように、演算部７と複数の負荷
投入回路６とが接続される。
【００１９】
（作用）
以下、本発明の第１の実施形態の作用について説明する。まず、定格電力供給装置３に
異常が発生しない通常運転時の作用について説明する。
【００２０】
電動機運転装置１は、起動電力供給装置２によって起動電力３２を複数の電動機１１に
順次供給し定格運転まで加速し、定格電力供給装置３によって複数の電動機１１のうち定
格運転まで加速されたものに対して、起動電力供給装置２から切替えて定格電力３３を並
列に供給して定格運転を行う。ここで定格電力３３とは、周波数および電圧が一定の定格
周波数および定格電圧からなる交流電力であり、電動機１１は定格電力３３を受電して定
格運転を行う。また起動電力３２とは、周波数および電圧が起動周波数および起動電圧か
ら定格電力３３の定格周波数および定格電圧まで漸次増加する交流電力であり、電動機１
１は起動電力３２を受電して停止状態から定格運転の回転数まで加速する。
【００２１】
以下、起動運転が終了し定格運転中の電動機１１a、起動運転中の電動機１１ｂ、起動
前の電動機１１ｃの作用について説明する。
【００２２】
まず、電動機１１aの作用について説明する。定格運転中の電動機１１aは、起動運転を
終えて定格運転に移行している。このとき演算部７は、電動機１１aに必要な定格電力３
３を供給させる定格電力供給装置運転指令２２を定格電力供給装置３に送信する。定格電
力供給装置３は、定格電力供給装置運転指令２２を受信し、所内母線１０の所内電力３１
を変換して電動機１１aに必要な定格電力３３を供給する。
【００２３】
また演算部７は、定格電力供給装置３から受電させる切換指令２３aを切換回路４aに送
信する。切換回路４aは、切換指令２３aを受信して定格電力供給装置３から受電を行う切
り換えを行う。さらに演算部７は、負荷投入回路６aを閉鎖させる開閉指令２４aを負荷投
入回路６aに送信し、負荷投入回路６aは閉鎖して定格電力３３を電動機１１aに供給する
。
【００２４】
次に、電動機１１ｂの作用について説明する。電動機１１ｂは、起動電力３２を受電し
て起動運転を行っている。このとき演算部７は、電動機１１ｂに必要な起動電力３２を供
給させる起動電力供給装置運転指令２１を起動電力供給装置２に送信する。起動電力供給
装置２は、起動電力供給装置運転指令２１を受信し、所内母線１０の所内電力３１を変換
して電動機１１ｂに必要な起動電力３２を供給する。
【００２５】
さらに演算部７は、起動電力供給装置２から受電させる切換指令２３ｂを切換回路４ｂ
に送信する。切換回路４ｂは、切換指令２３ｂを受信し、起動電力供給装置２から受電す
る切り換えを行う。さらに演算部７は、負荷投入回路６ｂを閉鎖させる開閉指令２４ｂを
負荷投入回路６ｂに送信し、負荷投入回路６ｂは閉鎖して起動電力３２を電動機１１ｂに
供給する。
【００２６】
電動機１１ｂが定格運転まで加速されると、演算部７は、電動機１１ｂへの起動電力３
２の供給を停止させる起動電力供給装置運転指令２１を起動電力供給装置２に送信し、起
動電力供給装置２は電動機１１ｂへの起動電力３２の供給を停止する。
【００２７】
また演算部７は、定格電力供給装置３に対して電動機１１aに加えて電動機１１ｂに必
要な定格電力３３を供給させる定格電力供給装置運転指令２２を送信し、定格電力供給装
置３は、所内母線１０の所内電力３１を変換して電動機１１aおよび電動機１１ｂに必要
な定格電力３３を供給する。さらに演算部７は、定格電力供給装置３から受電させる切換
指令２３ｂを切換回路４ｂに送信し、切換回路４ｂは、定格電力供給装置３から受電を行
う切り換えを行う。
【００２８】
このとき、起動電力３２から定格電力３３の位相のずれが大きい場合は、演算部７は、
負荷投入回路６ｂを一旦開放動作させ、起動電力３２から定格電力３３の切換の後に、電
動機１１の位相に定格電力３３の位相を一致させるタイミングで閉鎖動作させる開閉指令
２４ｂを負荷投入回路６ｂに送信してもよい。これにより起動電力３２から定格電力３３
への切換における電動機１１の負荷を低減することができる。
【００２９】
図２は、本発明の第１の実施形態に係る電動機運転装置の起動運転から定格運転までの
電動機の周波数の変化を示すグラフである。破線Aに示す電動機１１ｂは、起動運転時に
おいて起動電力供給装置２からの破線Bに示す起動電力３２の受電によって周波数を増加
させ加速する。電動機１１ｂが定格周波数まで加速すると、演算部７からの起動電力供給
装置運転指令２１によって、起動電力供給装置２は電動機１１ｂへの起動電力３２の供給
を停止する。
【００３０】
さらに、演算部７からの定格電力供給装置運転指令２２によって、定格電力供給装置３
は電動機１１ｂへの定格電力３３の供給を起動電力供給装置２から切り替えて行う。ここ
で、図２の実線Cに示すように定格電力供給装置３は、定格電力３３の周波数まであらか
じめ加速し、定格電力３３の供給のスタンバイしておくことが望ましい。電動機１１ｂの
起動運転から定格運転への移行が終了すると、演算部７は、次の電動機１１ｃについて起
動運転を行う。
【００３１】
最後に、電動機１１ｃの作用について説明する。電動機１１ｃは起動前の停止状態であ
る。したがって、演算部７は、起動電力供給装置２および定格電力供給装置３のいずれも
から電力を受電させない切換指令２３ｃを切換回路４ｃに送信し、切換回路４ｂは、起動
電力供給装置２および定格電力供給装置３のいずれもから電力を受電しない位置に切り替
えを行う。さらに演算部７は、負荷投入回路６ｃを開放させる開閉指令２４ｃを負荷投入
回路６ｃに送信し、負荷投入回路６ｃは開放して電動機１１ｂへの電力供給を遮断しても
よい。
【００３２】
次に、定格電力供給装置３に異常が発生した時の作用について説明する。図３は、本発
明の第１の実施形態に係る電動機運転装置の定格電力供給装置の異常時の作用を示す概略
構成図である。定格電力供給装置３は、内部に異常判定機能を有する。異常判定機能とし
て、定格電力供給装置３の電圧または周波数の正常値との比較や平滑コンデンサの容量測
定による劣化判定等を診断機能として適用することができる。
【００３３】
以下、定格電力供給装置３の異常発生前において電動機１１a、１１ｂは起動運転を終
えて定格電力に移行しており、電動機１１ｃは起動前であるものとして説明する。
【００３４】
まず、電動機１１a、１１ｂの作用について説明する。定格電力供給装置３に異常が発
生したとき、定格電力供給装置３は、定格電力供給装置異常信号２５を演算部７に送信す
る。演算部７は、定格電力供給装置異常信号２５を受信すると、複数の負荷投入回路６の
うち接続されている電動機１１が定格運転を行っているもの、すなわち負荷投入回路６a
、６ｂに対して、開放を行う開閉指令２４a、２４ｂを各々送信する。負荷投入回路６a、
６ｂは、開閉指令２４a、２４ｂを受信して開放し、定格電力供給装置３の異常による過
剰な電力の供給や周波数または電圧の急変による電動機１１への負荷が低減される。
【００３５】
また演算部７は、起動電力供給装置２に対して、複数の電動機１１のうち定格運転を行
っている電動機１１a、１１ｂに定格電力３３を供給させる起動電力供給装置運転指令２
１を送信する。起動電力供給装置２は、起動電力供給装置運転指令２１を受信して所内母
線１０の所内電力３１を用いて電動機１１a、１１ｂに必要な定格電力３３を供給する。
ここで起動電力供給装置２は、常に定格電力３３を供給することができるように定格周波
数まで加速してスタンバイしておくことが望ましい。
【００３６】
さらに演算部７は、複数の切換回路４のうち接続されている電動機１１が定格運転を行
っているもの、すなわち切換回路４a、４ｂに対して、起動電力供給装置２から受電する
ように切り換えを行う切換指令２３a、２３ｂを送信する。切換回路４a、４ｂは、切換指
令２３を受信して起動電力供給装置２から受電する切り換えを行う。
【００３７】
さらに演算部７は、負荷投入回路６a、６ｂに対して、閉鎖動作を行う開閉指令２４a、
２４ｂを各々送信する。負荷投入回路６a、６ｂは、開閉指令２４a、２４ｂを受信して閉
鎖し、起動電力供給装置２からの定格電力３３を各々の電動機１１a、１１ｂに供給する
。
【００３８】
次に、電動機１１ｃの作用について説明する。電動機１１ｃは起動前である。したがっ
て、演算部７は、起動電力供給装置２および定格電力供給装置３のいずれもから電力を受
電させない切換指令２３ｂを切換回路４ｃに送信し、切換回路４ｃは、起動電力供給装置
２および定格電力供給装置３のいずれもから電力を受電しない位置に切り替えを行う。さ
らに演算部７は、負荷投入回路６ｃを開動作させる開閉指令２４ｃを負荷投入回路６ｃに
送信し、負荷投入回路６ｃは開放して電動機１１ｂへの電力供給を遮断してもよい。
【００３９】
なお、電動機１１ｃが起動運転中である場合も、定格運転まで加速されないうちに定格
電力３３を供給すると、電動機１１ｃへの負荷が生じる可能性があるため、上述した起動
前である場合と同様に、切換回路４ｂは、起動電力供給装置２および定格電力供給装置３
のいずれもから電力を受電しない位置に切り替えを行うものとする。
【００４０】
（効果）
本発明の第１の実施形態によれば、起動電力供給装置２によって起動電力を複数の電動
機１１に順次供給し定格運転まで加速し、定格電力供給装置３によって複数の電動機１１
のうち定格運転まで加速されたものに対して、起動電力供給装置２から切替えて定格電力
を供給することによって、起動電力供給装置２の容量を削減することができ、さらに起動
電力供給装置２を運転させずに定格運転を行うことができる。
【００４１】
さらに、定格電力供給装置３の異常発生時において、起動電力供給装置２によって定格
電力を定格電力供給装置３から切替えて複数の電動機１１のうち定格運転中のものに対し
供給することによって、安定して複数の電動機１１を定格運転することができる。
【００４２】
（第２の実施形態）
（構成）
以下、本発明の第２の実施形態に係る電動機運転装置について図４乃至図６を参照して
説明する。第１の実施形態に係る電動機運転装置の各部と同一部分には同一符号を付し、
同一の構成についての説明は省略する。
【００４３】
図４は、本発明の第２の実施形態に係る電動機運転装置の概略構成図である。第２の実
施形態が第１の実施形態と異なる点は、定格電力供給装置３を複数の電動機１１と同数設
けた点である。複数の切換回路４に複数の定格電力供給装置３の各々から電力供給できる
ように、複数の切換回路４の各々に定格電力供給装置３とが接続される。
【００４４】
複数の定格電力供給装置３は、それぞれ接続される電動機１１が必要とする定格電力３
２を供給し、上述した第１の実施形態のように、定格運転している電動機１１の数に応じ
て供給電力３２の電力量を変化させないものとする。
【００４５】
（作用）
以下、本発明の第２の実施形態の作用について説明する。まず、定格電力供給装置３に
異常が発生しない通常時の作用について説明する。以下、起動運転が終了し定格運転中の
電動機１１a、起動運転中の電動機１１ｂ、起動前の電動機１１ｃの作用について説明す
る。
【００４６】
まず、電動機１１aの作用について説明する。定格運転中の電動機１１aは、後述する起
動運転を終えて定格運転に移行している。このとき演算部７は、電動機１１に定格電力を
供給させる定格電力供給装置運転指令２２を定格電力供給装置３aに送信し、定格電力供
給装置３は、所内母線１０の所内電力３１を変換して電動機１１aに必要な定格電力を供
給する。
【００４７】
また演算部７は、定格電力供給装置３aから受電させる切換指令２３aを切換回路４aに
送信する。切換回路４aは、切換指令２３aを受信し、定格電力供給装置３aから受電する
切り換えを行う。さらに演算部７は、負荷投入回路６aを閉鎖させる開閉指令２４aを負荷
投入回路６aに送信し、負荷投入回路６aは閉鎖して定格電力３３を電動機１１aに供給す
る。
【００４８】
次に、電動機１１ｂの作用について説明する。電動機１１ｂは、起動電力供給装置２か
ら起動電力３２を受電して起動運転を行っている。このとき演算部７は、電動機１１ｂに
起動電力３２を供給させる起動電力供給装置運転指令２１を起動電力供給装置２に送信し
、起動電力供給装置２は、所内母線１０の所内電力３１を変換して電動機１１ｂに必要な
起動電力３２を供給する。
【００４９】
また演算部７は、起動電力供給装置２から受電させる切換指令２３ｂを切換回路４ｂに
送信し、切換回路４ｂは、起動電力供給装置２から受電する切り換えを行う。さらに演算
部７は、負荷投入回路６ｂを閉鎖させる開閉指令２４ｂを負荷投入回路６ｂに送信し、負
荷投入回路６ｂは閉鎖して起動電力３２を電動機１１ｂに供給する。
【００５０】
電動機１１ｂに起動電力３２が供給され、定格運転まで加速されると、演算部７は、電
動機１１ｂへの起動電力３２の供給を停止させる起動電力供給装置運転指令２１を起動電
力供給装置２に送信し、起動電力供給装置２は電動機１１ｂへの起動電力３２の供給を停
止する。また演算部７は、電動機１１ｂに定格電力３３を供給させる定格電力供給装置運
転指令２２bを定格電力供給装置３bに送信し、定格電力供給装置３bは、所内母線１０の
所内電力３１を変換して電動機１１ｂに必要な定格電力を供給する。
【００５１】
また演算部７は、定格電力供給装置３ｂから受電させる切換指令２３ｂを切換回路４ｂ
に送信し、切換回路４ｂは、定格電力供給装置３ｂから受電する切り換えを行う。さらに
演算部７は、負荷投入回路６ｂを一旦開放動作させ、起動電力３２から定格電力３３の切
換の後に閉鎖させる開閉指令２４ｂを負荷投入回路６ｂに送信してもよい。
【００５２】
最後に、電動機１１ｃの作用について説明する。電動機１１ｃは起動前である。したが
って、演算部７は、起動電力供給装置２および定格電力供給装置３ｃのいずれもから電力
を受電させない切換指令２３ｃを切換回路４ｃに送信し、切換回路４ｂは、起動電力供給
装置２および定格電力供給装置３ｃのいずれもから電力を受電しない位置に切り替えを行
う。
【００５３】
次に、定格電力供給装置３a、３ｂ、３ｃのうち定格電力供給装置３ｂに異常が発生し
た時の作用について説明する。図５は、本発明の第２の実施形態に係る電動機運転装置の
定格電力供給装置の異常時の作用を示す概略構成図である。定格電力供給装置３ｂは、異
常の発生を示す定格電力供給装置異常信号２５ｂを演算部７に送信する。
【００５４】
ここで、定格電力供給装置３の異常発生前において電動機１１a、１１ｂは起動運転を
終えて定格電力に移行しており、電動機１１ｃは起動前であるものとする。
【００５５】
まず、電動機１１a、１１ｂの作用について説明する。定格電力供給装置３ｂは、定格
電力供給装置３ｂに異常が発生したとき、定格電力供給装置異常信号２５ｂを演算部７に
送信する。演算部７は、定格電力供給装置異常信号２５ｂを受信すると、起動電力供給装
置２に対して、複数の電動機１１のうち定格電力供給装置３に異常が発生しているもの、
すなわち電動機１１ｂに定格電力３３を供給させる起動電力供給装置運転指令２１を送信
する。起動電力供給装置２は、起動電力供給装置運転指令２１を受信して、所内母線１０
の所内電力３１を用いて電動機１１ｂに必要な定格電力３３を供給する。
【００５６】
さらに演算部７は、複数の切換回路４のうち定格電力供給装置３に異常が発生している
もの、すなわち切換回路４ｂに対して、起動電力供給装置２から受電する切り換えを行う
切換指令２３ｂを送信する。切換回路４ｂは、切換指令２３を受信して起動電力供給装置
２から受電する切り換えを行う。
【００５７】
次に、電動機１１ｃの作用について説明する。電動機１１ｃは起動前である。したがっ
て、演算部７は、起動電力供給装置２および定格電力供給装置３のいずれもから電力を受
電させない切換指令２３ｂを切換回路４ｃに送信し、切換回路４ｃは、起動電力供給装置
２および定格電力供給装置３のいずれもから電力を受電しない位置に切り替えを行う。
【００５８】
本実施形態は、以下の変形が可能である。図６は、本発明の第２の実施形態に係る電動
機運転装置の１つの定格電力供給装置に対して複数の電動機を接続した例を示す概略構成
図である。この場合、例えば２つ乃至３つの電動機１１を１グループとして複数のグルー
プ化を行い、このグループ化した電動機１１につき１つの定格電力供給装置３を接続する
構成とする。
【００５９】
また、定格電力供給装置３は接続されたグループの電動機１１を定格運転させるために
必要な定格電力３３を供給するものとする。さらに、起動電力供給装置２は、各グループ
の電動機１１を同時に起動運転するために必要な起動電力３２を供給するものとする。こ
の構成においては、起動電力供給装置２は、起動電力３２をグループ毎に順次供給し定格
運転まで加速し、定格電力供給装置３は、接続されているグループの電動機１１が定格運
転まで加速されたとき、起動電力供給装置２から切替えてこのグループに定格電力３３を
供給する。さらに定格電力供給装置３の異常時において、起動電力供給装置２は、複数の
グループのうち異常ある定格電力供給装置３が接続されているグループに定格電力３３を
定格電力供給装置３から切替えて供給する。
【００６０】
また上述した第１の実施形態においても、１つの切換回路４に対してグループ化した複
数の電動機１１を接続する構成とすることができる。この構成においては、起動電力供給
装置２は起動電力３２をグループ毎に順次供給し定格運転まで加速し、定格電力供給装置
３は、複数のグループのうち電動機１１が定格運転まで加速されているグループに対して
、起動電力供給装置２から切替えて定格電力３３を供給する。さらに定格電力供給装置３
の異常時において、起動電力供給装置２は、定格電力供給装置３から切替えてグループの
うち電動機１１が定格運転中のグループに定格電力３３を供給する。
【００６１】
（効果）
本発明の第２の実施形態によれば、定格電力供給装置３を複数の電動機１１の各々に設
けることによって、定格電力供給装置３の容量を削減することができる。さらに起動電力
供給装置２は、定格電力供給装置３の異常発生時に、異常ある定格電力供給装置３が供給
する分のみの定格電力を供給すればよいので、起動電力供給装置２の容量をさらに削減す
ることができる。
【００６２】
なお、本発明の実施形態は上述した実施形態に限られないことは言うまでもない。例え
ば、電動機１１の数や容量、所内電力３１および起動電力３２ならびに定格電力３３の電
圧や周波数は、電動機１１が用いられる装置の規模や性能要求によって適宜変更され得る
ものである。
【００６３】
また、起動電力供給装置２および定格電力供給装置３は、共通した所内母線１０の所内
電力３１を変換するだけでなく、それぞれ独立した所内母線１０の所内電力３１を受電し
て変換する構成としてもよい。 
【符号の説明】
【００６４】
１・・・電動機運転装置
２・・・起動電力供給装置
３・・・定格電力供給装置
４・・・切替回路
５・・・フィルタ回路
６・・・負荷投入回路
７・・・演算部
１０・・・所内母線
１１・・・電動機
２１・・・起動電力供給装置運転指令
２２・・・定格電力供給装置運転指令
２３・・・切換指令
２４・・・開閉指令
２５・・・定格電力供給装置異常信号
３１・・・所内電力
３２・・・起動電力
３３・・・定格電力 
【図１】
2013027060.tif 000003
【図２】
2013027060.tif 000004
【図３】
2013027060.tif 000005
【図４】
2013027060.tif 000006
【図５】
2013027060.tif 000007
【図６】
2013027060.tif 000008